(57)【要約】【課題】展開・撤収の作業性向上と、省人化による機動性の向上が可能な可搬型空中線装置を提供する。【解決手段】支柱５を中心軸にして放射状に展開された折り畳み式アーム３の先端部で支持した複数の折り畳み式空中線素子１，２を略同一の円周上に配列した構造を有する可搬型空中線装置において、折り畳んだ状態で折り畳み式空中線素子１，２、折り畳み式アーム３を収納する支柱５内の底部に、展開時に弾性力により折り畳み式アーム３を支柱５上部に押し上げるバネ構造６と、折り畳み式アーム３を水平方向に展開させ、かつ、展開時に折り畳み式アーム３と直交する方向に折り畳み式空中線素子１，２を展開させるために、折り畳み式空中線素子１，２の先端部に錘を有するヒンジ機構とを備える。支柱５側面に備えたロック機構７の操作により折り畳み式アーム３、折り畳み式空中線素子１，２を支柱５内から展開し、レバー８の押下げにより支柱５内に収納する。【選択図】        図１
2011119812.tif 000002
【特許請求の範囲】
【請求項１】
支柱を中心軸にして放射状に展開した折り畳み式アームの先端部により支持された折り畳み式空中線素子を略同一の円周上に配列した構造を有する可搬型空中線装置において、折り畳まれた状態で前記折り畳み式空中線素子と前記折り畳み式アームとを収納する前記支柱内の底部に、展開時に弾性力により前記折り畳み式アームを前記支柱上部に押し上げるためのバネ構造と、前記支柱の上部から外部に向かって水平方向に前記折り畳み式アームを展開させ、かつ、水平方向に展開された前記折り畳み式アームの先端部において前記折り畳み式空中線素子を前記折り畳み式アームと直交した方向に展開させるためのヒンジ機構と、を備えていることを特徴とする可搬型空中線装置。
【請求項２】
前記ヒンジ機構として前記折り畳み式空中線素子の先端部には錘が付与されており、前記折り畳み式空中線素子の先端部に付与されている前記錘により、前記折り畳み式アームが前記支柱の上部から外部に露出した際に、前記折り畳み式アームを水平方向に展開させ、前記折り畳み式アームが水平方向に展開された際に、前記折り畳み式空中線素子を前記折り畳み式アームと直交した方向に展開させることを特徴とする請求項１に記載の可搬型空中線装置。
【請求項３】
前記支柱内底部に備えた前記バネ構造を圧縮させた状態で係止するためのロック機構を、前記支柱の側面に備え、該ロック機構を操作することにより、前記バネ構造の圧縮状態を解除し、前記バネ構造の弾性力により、前記折り畳み式アームを前記支柱上部に押し上げることを特徴とする請求項１または２に記載の可搬型空中線装置。
【請求項４】
複数の前記折り畳み式アームそれぞれの前記先端部とは反対側の端部を一体化するためのブロックに、当該ブロックが前記支柱上部の外部に露出した際に、当該ブロックに前記端部が一体化されている前記折り畳み式アームを、水平方向に展開させるためのブロック用ヒンジ機構をさらに備えていることを特徴とする請求項１ないし３のいずれかに記載の可搬型空中線装置。
【請求項５】
前記支柱の側面に沿って上下方向にスライド可能な状態にして、複数の前記折り畳み式アームそれぞれの前記先端部とは反対側の端部を一体化するためのブロックに取り付けられているレバーを、前記支柱の側面に備え、前記レバーを下方向に前記支柱の側面に沿ってスライドさせることにより、前記支柱内の底部に備えられた前記バネ構造を圧縮した状態にするとともに、前記折り畳み式空中線素子と前記折り畳み式アームとを折り畳んで、前記支柱内に収納することを特徴とする請求項１ないし３のいずれかに記載の可搬型空中線装置。
【請求項６】
前記レバーを下方向に前記支柱の側面に沿ってスライドさせた際に、水平方向に展開されている前記折り畳み式アームの側面が、前記支柱の上端面に押圧されることにより、前記折り畳み式アームが上方向に折り畳まれ、前記折り畳み式アームが上方向に折り畳まれることにより、前記折り畳み式アームと直交した上下方向に展開されていた前記折り畳み式空中線素子が、前記ヒンジ機構により、下方向に折り畳まれることを特徴とする請求項５に記載の可搬型空中線装置。
【請求項７】
支柱を中心軸にして放射状に展開した折り畳み式アームの先端部により支持された折り畳み式空中線素子を略同一の円周上に配列した構造を有する可搬型空中線装置における可搬型空中線装置展開・収納方法であって、折り畳まれた状態では、前記折り畳み式空中線素子と前記折り畳み式アームとを前記支柱内に収納し、展開時には、前記支柱内の底部に備えたバネ構造と前記折り畳み式空中線素子に備えたヒンジ機構とにより、前記折り畳み式アームを前記支柱上部に押し上げた後、前記支柱の上部から外部に向かって水平方向に前記折り畳み式アームを展開させ、さらに、水平方向に展開された前記折り畳み式アームの先端部において前記折り畳み式空中線素子を前記折り畳み式アームと直交した方向に展開させることを特徴とする可搬型空中線装置展開・収納方法。
【請求項８】
前記ヒンジ機構として前記折り畳み式空中線素子の先端部には錘が付与されており、前記折り畳み式空中線素子の先端部に付与されている前記錘により、前記折り畳み式アームが前記支柱の上部から外部に露出した際に、前記折り畳み式アームを水平方向に展開させ、前記折り畳み式アームが水平方向に展開された際に、前記折り畳み式空中線素子を前記折り畳み式アームと直交した方向に展開させることを特徴とする請求項７に記載の可搬型空中線装置展開・収納方法。
【請求項９】
前記支柱内底部に備えた前記バネ構造を圧縮させた状態で係止するためのロック機構を操作することにより、前記バネ構造の圧縮状態を解除し、前記バネ構造の弾性力により、前記折り畳み式アームを前記支柱上部に押し上げることを特徴とする請求項７または８に記載の可搬型空中線装置展開・収納方法。
【請求項１０】
複数の前記折り畳み式アームそれぞれの前記先端部とは反対側の端部を一体化するためのブロックに、当該ブロックが前記支柱上部の外部に露出した際に、当該ブロックに前記端部が一体化されている前記折り畳み式アームを、水平方向に展開させるためのブロック用ヒンジ機構をさらに備えていることを特徴とする請求項７ないし９のいずれかに記載の可搬型空中線装置展開・収納方法。
【請求項１１】
前記支柱の側面に沿って上下方向にスライド可能な状態にして、複数の前記折り畳み式アームそれぞれの前記先端部とは反対側の端部を一体化するためのブロックに取り付けられているレバーを、下方向に前記支柱の側面に沿ってスライドさせることにより、前記バネ構造を圧縮した状態にするとともに、前記折り畳み式空中線素子と前記折り畳み式アームとを折り畳んで、前記支柱内に収納することを特徴とする請求項７ないし９のいずれかに記載の可搬型空中線装置展開・収納方法。
【請求項１２】
前記レバーを下方向に前記支柱の側面に沿ってスライドさせた際に、水平方向に展開されている前記折り畳み式アームの側面が、前記支柱の上端面に押圧されることにより、前記折り畳み式アームが上方向に折り畳まれ、前記折り畳み式アームが上方向に折り畳まれることにより、前記折り畳み式アームと直交した上下方向に展開されていた前記折り畳み式空中線素子が、前記ヒンジ機構により、下方向に折り畳まれることを特徴とする請求項１１に記載の可搬型空中線装置展開・収納方法。
【発明の詳細な説明】
【技術分野】
【０００１】
本発明は、可搬型空中線装置および可搬型空中線装置展開・収納方法に関し、特に、可搬型空中線装置の構造として、可搬型空中線装置の展開・撤収作業の短時間化と省人化とにより、可搬型空中線装置の機動性や収納性の向上を可能とする構造に関する。
【背景技術】
【０００２】
従来より、方向探知機等に利用される可搬型空中線装置として種々の形態が用いられているが、例えば、特許文献１の特開２００８−１９３３５４号公報「アンテナ装置」や特許文献２の特開２００７−０９６９７５号公報「円筒型アンテナ装置」のように、複数のタブレット形式の空中線素子を略同一の円周上に配置した構造からなるアレイアンテナ構造を採用している場合が一般的である。
【０００３】
かくのごとき円形状のアレイアンテナ構造においては、支柱の先端に取り付けられたブロックから複数の支持用アームを該支柱と直交する方向に放射状に張り出し、該複数の支持用アームそれぞれの先端に空中線素子（アンテナ）を設置することによって、支柱を中心にして略同一の円周上に複数の空中線素子を配置する構造とされている。ここで、各空中線素子は、支持用のアームを挟んで上下に対称となるように配置され、支柱から支持用のアームを介して各空中線素子に対して給電するためのケーブルが接続されている。
【０００４】
かくのごとき構造の可搬型空中線装置においては、アームの展開作業は、まず、複数のアームを支柱にボルトにてそれぞれ固定し、その後、その複数のアームに空中線素子を組立て、最後に、それぞれのアームにケーブルを接続していた。このような可搬型の空中線装置の展開作業は、人手により１点ずつ行われ、展開および撤収の作業に多くの時間を要していた。また、少なくとも、アームを支える人員と、アームを支柱にボルトにて締め付ける人員とを要するなど、複数の人員が必要であった。
【０００５】
図２は、現状の可搬型空中線装置の展開方法を模式的に示す模式図である。図２に示すように、可搬型空中線装置を組み立てる場合、まず、支柱１１に対して、複数個のアーム１２をそれぞれのボルト１３で２ヶ所程度ずつ固定する。さらに、それぞれのアーム１２の先端の上下に、空中線素子１４を上下２ヶ所ずつ固定し、最後に、それぞれのアーム１２に、ケーブル１５を接続する。そのため、展開および撤収時の作業に多くの時間がかかり、複数の人員も必要となっていた。
【先行技術文献】
【特許文献】
【０００６】
【特許文献１】特開２００８−１９３３５４号公報（第４−６頁）
【特許文献２】特開２００７−０９６９７５号公報（第３−４頁）
【発明の概要】
【発明が解決しようとする課題】
【０００７】
前述のように、現状の可搬型空中線装置の展開および撤収作業には、その構造上、次のような課題があった。
【０００８】
第１に、各アームや空中線素子をボルトにて締め付けることにより支柱上に組立てたり、それぞれのアームにケーブルを接続したりする作業が必要であり、各組立における必要な構成品が多いために、可搬型空中線装置の展開および撤収作業に多くの時間がかかるという課題がある。
【０００９】
第２に、支柱やアームは一般にサイズが大きいこと、かつ、構成品が多いことから、アームの支柱への組立作業には、複数の人員が必要になるという課題がある。
【００１０】
第３に、空中線素子は、その特性上、強度が弱く、空中線素子の運搬時には、該空中線素子を十分に保護するための梱包が必要であり、その梱包作業に多くの時間がかかるという課題がある。
【００１１】
本発明は、かかる事情に鑑みてなされたものであり、その目的とするところは、現状の可搬型空中線装置と同等の性能を得るために、現状の可搬型空中線装置と同等のサイズを確保しつつ、可搬型空中線装置の展開・撤収の作業時間の短時間化を図るとともに、作業の簡素化（作業性の向上）を図ることによって、可搬型空中線装置の機動性の向上させることが可能な可搬型空中線装置および可搬型空中線装置展開・収納方法を提供することにある。
【課題を解決するための手段】
【００１２】
前述の課題を解決するため、本発明による可搬型空中線装置および可搬型空中線装置展開・収納方法は、次のような特徴的な構成を採用している。下記（１）及び（７）なる番号は請求項の項番号にそれぞれ対応している。
【００１３】
（１）支柱を中心軸にして放射状に展開した折り畳み式アームの先端部により支持された折り畳み式空中線素子を略同一の円周上に配列した構造を有する可搬型空中線装置において、折り畳まれた状態で前記折り畳み式空中線素子と前記折り畳み式アームとを収納する前記支柱内の底部に、展開時に弾性力により前記折り畳み式アームを前記支柱上部に押し上げるためのバネ構造と、前記支柱の上部から外部に向かって水平方向に前記折り畳み式アームを展開させ、かつ、水平方向に展開された前記折り畳み式アームの先端部において前記折り畳み式空中線素子を前記折り畳み式アームと直交した方向に展開させるためのヒンジ機構とを備えている可搬型空中線装置。
（７）支柱を中心軸にして放射状に展開した折り畳み式アームの先端部により支持された折り畳み式空中線素子を略同一の円周上に配列した構造を有する可搬型空中線装置における可搬型空中線装置展開・収納方法であって、折り畳まれた状態では、前記折り畳み式空中線素子と前記折り畳み式アームとを前記支柱内に収納し、展開時には、前記支柱内の底部に備えたバネ構造と前記折り畳み式空中線素子に備えたヒンジ機構とにより、前記折り畳み式アームを前記支柱上部に押し上げた後、前記支柱の上部から外部に向かって水平方向に前記折り畳み式アームを展開させ、さらに、水平方向に展開された前記折り畳み式アームの先端部において前記折り畳み式空中線素子を前記折り畳み式アームと直交した方向に展開させる可搬型空中線装置展開・収納方法。
【発明の効果】
【００１４】
本発明の可搬型空中線装置および可搬型空中線装置展開・収納方法によれば、空中線素子の展開時に支柱を中心軸にした略同一の円周上に複数の空中線素子を配列した構造を有する可搬型空中線装置において、該支柱の側面に設けられているロック機構およびレバーの簡単な操作により、折り畳み式アーム、折り畳み式空中線素子の支柱からの展開および支柱内への収納が自動的に行われるので、以下のような効果を奏することができる。
【００１５】
第１の効果は、可搬型空中線装置の展開撤収の作業性を向上させることができることにある。つまり、ロック機構を操作して支柱内の底部に実装されているバネ構造の圧縮状態（ロック）を解除することによって、バネ構造の弾性力と折り畳み式空中線素子の先端部に錘を有するヒンジ機構とにより、複数本の折り畳み式アームを一体化したブロックを支柱の上部へ押し上げ、該ブロックを支柱の上部から外部に露出させて、複数本の各折り畳み式アームを水平の位置になるまで放射状に自動的に展開させることができる。また、各折り畳み式アームが水平方向に展開されると同時に、先端部側に錘を有する折り畳み式空中線素子がヒンジ機構により自動的に立ち上がり、水平方向に展開された各折り畳み式アームと直交する方向（垂直方向）に自動的に展開することができる。
【００１６】
さらに、レバーを支柱の側面に沿って下側に引き下ろすことによって、折り畳み式アームおよび折り畳み式空中線素子からなるブロックを引き下げ、折り畳み式アームおよび折り畳み式空中線素子を自動的に折り畳んで支柱内に収納することができる。而して、可搬型空中線装置を短い時間で展開し、収納することができるという効果が得られる。
【００１７】
第２の効果は、展開・撤収作業の省人化を図ることができることにある。支柱、折り畳み式アーム、折り畳み式空中線素子、ケーブルをブロック、ヒンジ機構、バネ構造とともに一体化することによって、可搬型空中線装置の展開・撤収時における作業として複数人での作業が少なくなるとともに、組立や分解が必要な構成品の数も減ることから、場合によっては、１人であっても、展開・撤収作業を行うことが可能になり、複数の人員が不要となるという効果が得られる。
【００１８】
第３に、可搬型空中線装置の運搬性が向上し、可搬型空中線装置の機動性をさらに向上させることができることにある。可搬型空中線装置の撤収時には、機械的強度が弱い折り畳み式空中線素子を支柱内に収納するので、可搬型空中線装置の運搬時には、折り畳み式空中線素子を十分に保護することができ、折り畳み式空中線素子の梱包が不要となり、梱包作業に要する時間を削減することができるという効果が得られる。
【図面の簡単な説明】
【００１９】
【図１】本発明による可搬型空中線装置の実施形態の一例を示す模式図である。
【図２】現状の可搬型空中線装置の展開方法を模式的に示す模式図である。
【発明を実施するための形態】
【００２０】
以下、本発明による可搬型空中線装置および可搬型空中線装置展開・収納方法の好適な実施形態について添付図を参照して説明する。
【００２１】
（本発明の特徴）
本発明の実施形態の説明に先立って、本発明の特徴についてその概要をまず説明する。本発明は、素早い機動性を必要とされる可搬型空中線装置において、ヒンジ機構の一つとして先端部に錘を有する回転型の折り畳み式空中線素子を備えるとともに、支柱内に収納した折り畳み式アームを押し上げるためのバネ構造を該支柱内の底部に備え、かつ、少なくとも折り畳み式空中線素子と折り畳み式アームと支柱と給電用のケーブルとを一体化して設けることによって、簡単な展開・撤収作業を実現可能とし、本可搬型空中線装置の機動性を向上させることを主要な特徴としている。
【００２２】
より具体的には、本発明による可搬型空中線装置は、空中線素子の展開時に支柱を中心軸にした略同一の円周上に複数の空中線素子を配列した構造を有する可搬型空中線装置において、ヒンジ機構の一つとして先端部側に錘を有する折り畳み式の空中線素子と、該空中線素子を放射状に配置する折り畳み式アームと、折り畳んだ状態の該空中線素子および該折り畳み式アームを収納可能な支柱と、該空中線素子への給電用のケーブルと、を一体化した構造からなり、支柱内には、折り畳み式アームを自動的に支柱外部へ押し出して、放射状に展開するためのバネ構造を備えるとともに、折り畳み式の空中線素子の先端部に錘を付与することにより、該折り畳み式の空中線素子が先端部に取り付けられている折り畳み式アームの展開を促進し、かつ、折り畳み式の空中線素子を折り畳み式アームと直交する方向に自動的に展開するためのヒンジ機構を備えていることを主要な特徴としている。
【００２３】
かかる構造を採用することにより、展開時には、簡単な操作で折り畳み式空中線素子および折り畳み式アームの展開が可能となること、また、撤収時には、簡単な操作で折り畳み式空中線素子および折り畳み式アームを支柱内に収納することが可能となることから、可搬型空中線装置の展開・撤収時間の削減により、可搬型空中線装置の機動性を向上させることができる。
【００２４】
つまり、本発明による折り畳み式の可搬型空中線装置は、展開時には、折り畳み式空中線素子と一体化されて、支柱内に収められていた折り畳み式アーム一式が支柱内の底部に取り付けられたバネ構造によって押し上げられることによって、自動的に、折り畳み式アームが支柱上部へ上昇して、折り畳み式アームの先端部に取り付けられている錘付きの折り畳み式空中線素子とのヒンジ機構を介して、それぞれの折り畳み式アームを水平方向に放射状に展開する。折り畳み式アームが水平方向に展開すると、先端部側に錘を有する折り畳み式空中線素子もヒンジ機構を介して回転することにより、折り畳み式アームと直交する方向に自動的に展開する。
【００２５】
また、収納時には、折り畳み式アームの前記先端部とは反対側の端部を一体化するためのブロックと接続されている収納用のレバーを支柱側面に沿って下側に引き下ろすことによって、折り畳み式アームおよび折り畳み式空中線素子を一体化しているブロックを引き下げ、折り畳んだ状態で該折り畳み式アームおよび折り畳み式空中線素子を支柱内に収納する。また、収納状態では、折り畳み式空中線素子や折り畳み式アーム等、機械的強度が比較的弱い部材が支柱内に収められて保護されるため、可搬型空中線装置を運搬し易くなり、可搬型空中線装置の機動性を向上させることができる。
【００２６】
（実施形態の構造の説明）
次に、本発明による可搬型空中線装置の実施形態について、その一例を、図１を参照して詳細に説明する。図１は、本発明による可搬型空中線装置の実施形態の一例を示す模式図であり、空中線素子の展開時には支柱を中心軸にした略同一の円周上に複数の空中線素子を配列した構造となる可搬型空中線装置の一例を示している。図１（Ａ）は、可搬型空中線装置の支柱内に折り畳み式空中線素子、折り畳み式アームを収納している状態を示し、また、図１（Ｂ）は、可搬型空中線装置の支柱内に収納されている折り畳み式空中線素子、折り畳み式アームを支柱の上部から外部に押し出している途中状況を示し、また、図１（Ｃ）は、支柱の上部に露出したブロックから折り畳み式アームを水平方向に放射状に展開するとともに、折り畳み式アームの先端部から折り畳み式アームと直交する方向の上下方向に、折り畳み式空中線素子が展開している状態を示している。
【００２７】
図１に示す可搬型空中線装置は、折り畳み式空中線素子１，２、複数本（図１の場合、５本）の折り畳み式アーム３、ブロック４、支柱５、バネ構造６、ロック機構７、レバー８、そして、ケーブル９を少なくとも含んで構成されている。
【００２８】
折り畳み式空中線素子１，２は、空中線を送受信するための素子であるが、ヒンジ機構の一つとして先端部側に錘を有している。また、折り畳み式アーム３は、折り畳み式空中線素子１，２の展開時に、ヒンジ機構を介して先端部に取り付けた折り畳み式空中線素子１，２を放射状に展開して、支柱５を中心軸にして略同一の円周上に配置するための部材である。また、ブロック４は、複数本（図１の場合、５本）の折り畳み式アーム３の折り畳み式空中線素子１，２を取り付けた前記先端部とは反対側の端部を一体化し、かつ、該折り畳み式アーム３を支えるための部材である。
【００２９】
また、支柱５は、折り畳み式空中線素子１，２の展開時には、中心軸となって水平方向に放射状に展開された複数本の折り畳み式アーム３を支え、折り畳み式空中線素子１，２の収納時には、折り畳み式アーム３を折り畳み式空中線素子１，２とともに内部に収納することが可能な部材である。また、バネ構造６は、折り畳み式空中線素子１，２の展開時に、弾性力により複数本の折り畳み式アーム３を支柱５の上部から外部に押し出すために支柱５内の底部に備えられている部材である。
【００３０】
また、ロック機構７は、折り畳み式空中線素子１，２の収納時において、バネ構造６を圧縮した状態に係止してロックするための部材であり、折り畳み式空中線素子１，２を展開する際に、作業員によって操作することが可能なように、支柱５の底部側の側面に操作用ボタンが配置されている。また、レバー８は、折り畳み式アーム３を一体化しているブロック４と接続されており、折り畳み式空中線素子１，２の収納時において、該ブロック４を支柱５内部に押し下げ、折り畳み式アーム３と折り畳み式空中線素子１，２とを折り畳んで支柱５内部に収納するための部材であり、作業員によって操作することが可能なように、支柱５の側面に上下方向にスライドが可能な状態で配置されている。そして、ケーブル９は、折り畳み式空中線素子１，２に給電するため部材であり、支柱５内部に設けられている配線用ガイド内に伸縮自在な状態で収納されている。
【００３１】
ここで、複数本の折り畳み式アーム３の端部を一体化して、各折り畳み式アーム３を支えるためのブロック４は、各折り畳み式アーム３の端部と、ブロック用ヒンジ機構を介して接続するようにしており、図１（Ａ）、（Ｂ）のように、該ブロック４が、支柱５内にある状態から、図１（Ｃ）に示すように、支柱５の上部から外部に露出すると、折り畳み式空中線素子１，２の先端部にヒンジ機構の一つとして有している錘の作用と相俟って、前記ブロック用ヒンジ機構により、実線矢印Ａに示す方向に、複数の折り畳み式アーム３を、放射状に展開し、水平方向になった位置で固定させる。
【００３２】
一方、レバー８を操作して、複数の折り畳み式アーム３を一体化して支えるブロック４を支柱５の上部から支柱５内に押し下げると、支柱５の上端面において実線矢印Ａとは逆方向の応力が折り畳み式アーム３の側面にかかることにより、折り畳み式アーム３は、徐々に、上方向に回転し、最終的には、上方向（垂直方向）に折り畳まれた状態になる。かくのごとく折り畳み式アーム３が折り畳まれた状態になると、ヒンジ機構の一つとして先端部に錘を有している折り畳み式空中線素子１，２も、下方向（垂直方向）に折り畳まれた状態になって、折り畳み式アーム３に沿うような状態になり、図１（Ｂ）に示すように、折り畳み式アーム３は、折り畳み式空中線素子１，２とともに、支柱５内に収納することが可能な状態になる。
【００３３】
なお、折り畳み式空中線素子１，２は、前述のように、先端部に錘が付いたヒンジ機構とされており、折り畳み式アーム３が水平方向に展開された状態では、図１（Ｃ）に示すように、中点において折り畳まれていた折り畳み式空中線素子２は、先端部の錘により、折り畳み式アーム３の先端部において、一点鎖線矢印Ｃに示す方向に回転して、折り畳み式アーム３と直交する下方向に展開し、一方、中点において折り畳まれていた折り畳み式空中線素子１は、折り畳み式空中線素子２の回転に伴って、折り畳み式アーム３の先端部において、破線矢印Ｂに示す方向に回転して、折り畳み式アーム３と直交する上方向に展開することによって、折り畳み式空中線素子１，２は、折り畳み式アーム３と直交する上下方向（垂直方向）において固定された状態になる。
【００３４】
一方、折り畳み式アーム３が、折り畳まれ、上方向（垂直方向）に配置された状態にある場合には、図１（Ｂ）に示すごとく、折り畳み式空中線素子１，２は、中点において下方向に折り畳まれた状態になっており、前述したように、折り畳み式アーム３に沿って配置された状態になる。
【００３５】
また、ロック機構７は、バネ構造６が配置されている支柱５底部の側面に設けられ、バネ構造６を圧縮した状態で係止する機構を有している。作業員が支柱５側面に取り付けられているロック機構７の操作用ボタンを操作することにより、バネ構造６の圧縮状態を解除し、該バネ構造６の弾性力により、折り畳み式アーム３を、支柱５の上部から外部に押し上げることになる。
【００３６】
また、レバー８は、複数本の折り畳み式アーム３を一体化しているブロック４に接続されていて、支柱５側面に、上下にスライド可能な状態で取り付けられている。レバー８を支柱５側面に沿って、下方向にスライド移動させることにより、ブロック４を支柱５内に収納させ、該ブロック４によって支えられている折り畳み式アーム３を、折り畳み式空中線素子１，２とともに、支柱５内に収納することができる。
【００３７】
なお、前述のように、折り畳み式空中線素子１，２はヒンジ機構を介して折り畳み式アーム３およびブロック４と一体化され、ブロック４は、支柱５内底部に備えられたバネ構造６と一体化され、さらに、折り畳み式空中線素子１，２に給電するケーブル９は、支柱５内の配線用ガイド内に収納されており、折り畳み式空中線素子１，２、折り畳み式アーム３、ブロック４、支柱５、バネ構造６、ロック機構７、レバー８、ケーブル９は一体構造としてあらかじめ組み立てられている。
【００３８】
（実施形態の動作の説明）
次に、図１に示す可搬型空中線装置の展開・撤収時の動作について説明する。まず、展開時においては、支柱５底部側の側面に設置されている図１（Ａ）に示すロック機構７を操作することによって、支柱５内部に配置されているバネ構造６の圧縮状態を解除し、図１（Ｂ）に示すように、該バネ構造６の弾性力により折り畳み式アーム３を支持しているブロック４を支柱５の上部へ押し上げる。この結果、複数本の折り畳み式アーム３を支持するブロック４が支柱５の上部の外部に露出すると、折り畳み式アーム３の先端部にヒンジ機構を介して取り付けられている折り畳み式空中線素子１，２の先端部の錘、および、ブロック４に設けられているブロック用ヒンジ機構により、複数本の折り畳み式アーム３が、図１（Ｃ）の実線矢印Ａに示す方向に回転して、水平方向の位置まで展開して固定される。
【００３９】
折り畳み式アーム３が水平方向に展開すると、その後、ヒンジ機構の一つとして先端部に錘を付与している各折り畳み式空中線素子１，２が、自動的に立ち上がり、折り畳み式空中線素子２は、図１（Ｃ）の一点鎖線矢印Ｃに示すように下方向に回転し、該折り畳み式空中線素子２の回転に伴い、ヒンジ機構により、折り畳み式空中線素子１は、図１（Ｃ）の破線矢印Ｂに示すように上方向に回転し、折り畳み式空中線素子１，２それぞれが、折り畳み式アーム３と直交する上下方向（垂直方向）の位置まで展開して固定される。
【００４０】
一方、可搬型空中線装置の撤収時においては、支柱５側面に設置されているレバー８を支柱５に沿って下方向にスライドさせることによって、該レバー８が取り付けられているブロック４を支柱５内部に収納する。この結果、ブロック４により支持されている折り畳み式アーム３の側面は、支柱５の上端面にて押圧されることによって、折り畳み式アーム３は上方向に折り畳まれることになる。
【００４１】
折り畳み式アーム３が上方向に折り畳まれていくと、先端部に錘付きのヒンジ機構を有する各折り畳み式空中線素子１，２は自動的に下方向に徐々に折り畳まれることになる。その後、折り畳み式アーム３が上方向に垂直な状態まで折り畳まれると、折り畳み式空中線素子１，２も該折り畳み式アーム３に沿って下方向に垂直な状態に折り畳まれた状態になる。つまり、レバー８の下方向への移動に伴い、折り畳み式アーム３と折り畳み式空中線素子１，２とは上下方向（垂直方向）に自動的に折り畳まれ、図１（Ａ）に示すように、支柱５内に収納することができる。
【００４２】
（実施形態の効果の説明）
以上に説明したように、本発明による可搬型空中線装置の実施形態においては、空中線素子の展開時に支柱を中心軸にした略同一の円周上に複数の空中線素子を配列した構造を有する可搬型空中線装置において、支柱５の側面に設けられているロック機構７およびレバー８の簡単な操作により、折り畳み式アーム３、折り畳み式空中線素子１，２の支柱５からの展開および支柱５内への収納が自動的に行われるので、以下のような効果が得られる。
【００４３】
第１の効果は、可搬型空中線装置の展開撤収の作業性を向上させることができることにある。つまり、ロック機構７を操作して支柱５内の底部に実装されているバネ構造６の圧縮状態（ロック）を解除することによって、バネ構造６と折り畳み式空中線素子１，２の先端部に錘を有するヒンジ機構とにより、複数本（例えば５本）の折り畳み式アーム３を一体化したブロック４を支柱５の上部へ押し上げ、該ブロック４を支柱５の上部から外部に露出させて、複数本（例えば５本）の各折り畳み式アーム３を水平の位置になるまで放射状に自動的に展開させることができる。また、各折り畳み式アーム３が水平方向に展開されると同時に、先端部側に錘を有する折り畳み式空中線素子１，２がヒンジ機構により自動的に立ち上がり、水平方向に展開された各折り畳み式アーム３と直交する方向（垂直方向）に自動的に展開することができる。
【００４４】
さらに、レバー８を支柱５の側面に沿って下側に引き下ろすことによって、折り畳み式アーム３および折り畳み式空中線素子１，２からなるブロック４を引き下げ、折り畳み式アーム３および折り畳み式空中線素子１，２を自動的に折り畳んで支柱５内に収納することができる。而して、可搬型空中線装置を短い時間で展開し、収納することができるという効果が得られる。
【００４５】
第２の効果は、展開・撤収作業の省人化を図ることができることにある。支柱５、折り畳み式アーム３、折り畳み式空中線素子１，２、ケーブル９をブロック４、ヒンジ機構、バネ構造６とともに一体化することによって、可搬型空中線装置の展開・撤収時における作業として複数人での作業が少なくなるとともに、組立や分解が必要な構成品の数も減ることから、場合によっては、１人であっても、展開・撤収作業を行うことが可能になり、複数の人員が不要となるという効果が得られる。
【００４６】
第３に、可搬型空中線装置の運搬性が向上し、可搬型空中線装置の機動性をさらに向上させることができることにある。可搬型空中線装置の撤収時には、機械的強度が弱い折り畳み式空中線素子１，２を支柱５内に収納するので、可搬型空中線装置の運搬時には、折り畳み式空中線素子１，２を十分に保護することができ、折り畳み式空中線素子１，２の梱包が不要となり、梱包作業に要する時間を削減することができるという効果が得られる。
【００４７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）及び（７）に加え、次のような構成として表現できる。下記（２）−（６）及び（８）−（１２）なる番号は、請求項の項番号にそれぞれ対応している。
（２）前記ヒンジ機構として前記折り畳み式空中線素子の先端部には錘が付与されており、前記折り畳み式空中線素子の先端部に付与されている前記錘により、前記折り畳み式アームが前記支柱の上部から外部に露出した際に、前記折り畳み式アームを水平方向に展開させ、前記折り畳み式アームが水平方向に展開された際に、前記折り畳み式空中線素子を前記折り畳み式アームと直交した方向に展開させる上記（１）の可搬型空中線装置。
（３）前記支柱内底部に備えた前記バネ構造を圧縮させた状態で係止するためのロック機構を、前記支柱の側面に備え、該ロック機構を操作することにより、前記バネ構造の圧縮状態を解除し、前記バネ構造の弾性力により、前記折り畳み式アームを前記支柱上部に押し上げる上記（１）または（２）の可搬型空中線装置。
（４）複数の前記折り畳み式アームそれぞれの前記先端部とは反対側の端部を一体化するためのブロックに、当該ブロックが前記支柱上部の外部に露出した際に、当該ブロックに前記端部が一体化されている前記折り畳み式アームを、水平方向に展開させるためのブロック用ヒンジ機構をさらに備えている上記（１）ないし（３）のいずれかの可搬型空中線装置。
（５）前記支柱の側面に沿って上下方向にスライド可能な状態にして、複数の前記折り畳み式アームそれぞれの前記先端部とは反対側の端部を一体化するためのブロックに取り付けられているレバーを、前記支柱の側面に備え、前記レバーを下方向に前記支柱の側面に沿ってスライドさせることにより、前記支柱内の底部に備えられた前記バネ構造を圧縮した状態にするとともに、前記折り畳み式空中線素子と前記折り畳み式アームとを折り畳んで、前記支柱内に収納する上記（１）ないし（３）のいずれかの可搬型空中線装置。
（６）前記レバーを下方向に前記支柱の側面に沿ってスライドさせた際に、水平方向に展開されている前記折り畳み式アームの側面が、前記支柱の上端面に押圧されることにより、前記折り畳み式アームが上方向に折り畳まれ、前記折り畳み式アームが上方向に折り畳まれることにより、前記折り畳み式アームと直交した上下方向に展開されていた前記折り畳み式空中線素子が、前記ヒンジ機構により、下方向に折り畳まれる上記（５）の可搬型空中線装置。
（８）前記ヒンジ機構として前記折り畳み式空中線素子の先端部には錘が付与されており、前記折り畳み式空中線素子の先端部に付与されている前記錘により、前記折り畳み式アームが前記支柱の上部から外部に露出した際に、前記折り畳み式アームを水平方向に展開させ、前記折り畳み式アームが水平方向に展開された際に、前記折り畳み式空中線素子を前記折り畳み式アームと直交した方向に展開させる上記（７）の可搬型空中線装置展開・収納方法。
（９）前記支柱内底部に備えた前記バネ構造を圧縮させた状態で係止するためのロック機構を操作することにより、前記バネ構造の圧縮状態を解除し、前記バネ構造の弾性力により、前記折り畳み式アームを前記支柱上部に押し上げる上記（７）または（８）の可搬型空中線装置展開・収納方法。
（１０）複数の前記折り畳み式アームそれぞれの前記先端部とは反対側の端部を一体化するためのブロックに、当該ブロックが前記支柱上部の外部に露出した際に、当該ブロックに前記端部が一体化されている前記折り畳み式アームを、水平方向に展開させるためのブロック用ヒンジ機構をさらに備えている上記（７）ないし（９）のいずれかの可搬型空中線装置展開・収納方法。
（１１）前記支柱の側面に沿って上下方向にスライド可能な状態にして、複数の前記折り畳み式アームそれぞれの前記先端部とは反対側の端部を一体化するためのブロックに取り付けられているレバーを、下方向に前記支柱の側面に沿ってスライドさせることにより、前記バネ構造を圧縮した状態にするとともに、前記折り畳み式空中線素子と前記折り畳み式アームとを折り畳んで、前記支柱内に収納する上記（７）ないし（９）のいずれかの可搬型空中線装置展開・収納方法。
（１２）前記レバーを下方向に前記支柱の側面に沿ってスライドさせた際に、水平方向に展開されている前記折り畳み式アームの側面が、前記支柱の上端面に押圧されることにより、前記折り畳み式アームが上方向に折り畳まれ、前記折り畳み式アームが上方向に折り畳まれることにより、前記折り畳み式アームと直交した上下方向に展開されていた前記折り畳み式空中線素子が、前記ヒンジ機構により、下方向に折り畳まれる上記（１１）の可搬型空中線装置展開・収納方法。
【符号の説明】
【００４８】
１      折り畳み式空中線素子
２      折り畳み式空中線素子
３      折り畳み式アーム
４      ブロック
５      支柱
６      バネ構造
７      ロック機構
８      レバー
９      ケーブル
１１    支柱
１２    アーム
１３    ボルト
１４    空中線素子
１５    ケーブル
【図１】
2011119812.tif 000003
【図２】
2011119812.tif 000004